【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
ａ）第１のイオン伝導性ポリマーを含有すると共に第１表面と第２表面を有するポリマー電解質膜（ＰＥＭ）、
ｂ）第２のイオン伝導性ポリマーと触媒を含有すると共に第１表面を有する第１触媒層、及び
ｃ）イオン伝導性の接着剤配合物を含有すると共にＰＥＭの第１表面と該触媒層の第１表面と接触する接着性促進層
を含有する膜電極アセンブリー（ＭＥＡ）であって、
（１）該第１及び／又は該第２のイオン伝導性ポリマーが非フッ素化イオン伝導性ポリマーであるか、又は
（２）該接着性促進層がi）非フッ素化イオン伝導性ポリマー、ii）非伝導性フッ素化ポリマー単独又はこれと非フッ素化イオン伝導性ポリマーとの混合物、又はiii）非伝導性フッ素化ポリマー単独又はこれとフッ素化イオン伝導性ポリマーとの混合物を含有する
該膜電極アセンブリー。
【請求項２】
イオン伝導性の接着剤配合物が、少なくとも１種の第１又は第２のイオン伝導性ポリマーを含有する請求項１記載のＭＥＡ。
【請求項３】
ａ）第１のイオン伝導性ポリマーを含有すると共に第１表面と第２表面を有するポリマー電解質膜（ＰＥＭ）、
ｂ）第２のイオン伝導性ポリマーと触媒を含有すると共に第１表面を有する第１触媒層、及び
ｃ）該第１又は該第２のイオン伝導性ポリマー中に分散された無機粒子を含むイオン伝導性の接着剤配合物を含有すると共にＰＥＭの第１表面と該触媒層の第１表面と接触する接着性促進層
を含有する膜電極アセンブリー（ＭＥＡ）。
【請求項４】
無機粒子が、黒鉛粉末、無定形炭素粉末、ケイ素酸化物、チタン酸化物、及びジルコニウム酸化物から成る群から選択される粒子である請求項３記載のＭＥＡ。
【請求項５】
無機粒子が２０ｎｍ〜２０００ｎｍの平均直径を有する請求項３記載のＭＥＡ。
【請求項６】
イオン伝導性の接着剤配合物が２種又はそれよりも多種のイオン伝導性ポリマーを含有する請求項１記載のＭＥＡ。
【請求項７】
少なくとも１種のイオン伝導性ポリマーが第１又は第２のイオン伝導性ポリマーを含有する請求項６記載のＭＥＡ。
【請求項８】
イオン伝導性ポリマーが第１及び第２のイオン伝導性ポリマーを含有する請求項６記載のＭＥＡ。
【請求項９】
接着剤配合物が、２００℃未満のＴｍ又はＴｇを有する非イオン性ポリマーをさらに含有する請求項１記載のＭＥＡ。
【請求項１０】
接着剤配合物が、接着性促進層内に含まれる細孔を有する請求項１記載のＭＥＡ。
【請求項１１】
接着性促進層が２００ｎｍ〜５０００ｎｍの厚さを有する請求項１記載のＭＥＡ。
【請求項１２】
接着性促進層を介するＰＥＭへの触媒層の接着性が、接着性促進層を介在させないＰＥＭへの電極の接着性よりも大きい請求項１記載のＭＥＡ。
【請求項１３】
ａ）第１のイオン伝導性ポリマーを含有すると共に第１表面と第２表面を有するポリマー電解質膜（ＰＥＭ）、及び第２のイオン伝導性ポリマーを含有すると共に第１表面を有する第１触媒層を形成させ、
ｂ）イオン伝導性接着剤配合物を、少なくともＰＥＭの第１表面又は触媒層の第１表面へ塗布し、次いで
ｃ）ＰＥＭの第１表面と触媒層の第１表面との間に接着性促進層が形成されるように、ＰＥＭと触媒層を密接状態で配置させることによって膜電極アセンブリー（ＭＥＡ）を形成させる
ことを含むＭＥＡの製造方法であって、
（１）該第１及び／又は該第２のイオン伝導性ポリマーが非フッ素化イオン伝導性ポリマーであるか、又は
（２）該接着性促進層がi）非フッ素化イオン伝導性ポリマー、ii）非伝導性フッ素化ポリマー単独又はこれと非フッ素化イオン伝導性ポリマーとの混合物、又はiii）非伝導性フッ素化ポリマー単独又はこれとフッ素化イオン伝導性ポリマーとの混合物を含有する
該製造方法。
【請求項１４】
下記の工程ｄ）〜ｆ）をさらに含む請求項１３記載の方法：
ｄ）第３のイオン伝導性ポリマー及び触媒を含有すると共に第１の表面を有する第２の触媒層を形成させ、
ｅ）イオン伝導性接着剤配合物を、少なくともＰＥＭの第２表面又は第２触媒層の第１表面へ塗布し、次いで
ｆ）ＰＥＭの第２表面と第２触媒層の第１表面との間に接着性促進層が形成されるようにＰＥＭと第２触媒層を密接状態で配置させることによってＭＥＡを形成させる。
【請求項１５】
ＭＥＡを、１２０〜１７０℃の温度及び２５〜１２０ｋｇ／ｃｍ２の条件下で焼きなます請求項１３記載の方法。
【請求項１６】
イオン伝導性接着剤配合物が少なくとも１種の第１又は第２のイオン伝導性ポリマーを含有する請求項１３記載の方法。
【請求項１７】
イオン伝導性接着剤配合物が、該第１又は該第２イオン伝導性ポリマー中に分散された無機粒子を含むイオン伝導性ポリマー中に分散された無機粒子をさらに含有する請求項１６記載の方法。
【請求項１８】
無機粒子が、黒鉛粉末、無定形炭素粉末、ケイ素酸化物、チタン酸化物、及びジルコニウム酸化物から成る群から選択される粒子である請求項１７記載の方法。
【請求項１９】
イオン伝導性の接着剤配合物が２種又はそれよりも多種のイオン伝導性ポリマーを含有する請求項１３記載の方法。
【請求項２０】
少なくとも１種のイオン伝導性ポリマーが第１又は第２のイオン伝導性ポリマーを含有する請求項１９記載の方法。
【請求項２１】
イオン伝導性接着剤配合物が、２００℃未満のＴｍ又はＴｇを有する非イオン性ポリマーをさらに含有する請求項１３記載の方法。
【請求項２２】
イオン伝導性接着剤配合物がポロジェンをさらに含有する請求項１３記載の方法。
【請求項２３】
接着性促進層が２００ｎｍ〜５０００ｎｍの厚さを有する請求項１３記載の方法。
【請求項２４】
接着性促進層を介するＰＥＭへの第１又は第２の電極の接着性が、接着性促進層を介在させないＰＥＭへの第１又は第２の電極の接着性よりも大きい請求項１３記載の方法。
【請求項２５】
ＰＥＭ及びＰＥＭの少なくとも１つの表面上にイオン伝導性接着剤配合物を含有する接着性促進層を含有する構造体であって、
該接着性促進層がi）非フッ素化イオン伝導性ポリマー、ii）非伝導性フッ素化ポリマー単独又はこれと非フッ素化イオン伝導性ポリマーとの混合物、又はiii）非伝導性フッ素化ポリマー単独又はこれとフッ素化イオン伝導性ポリマーとの混合物を含有する
該構造体。
【請求項２６】
イオン伝導性接着剤配合物が、少なくとも１種の第１又は第２のイオン伝導性ポリマーを含有する請求項２５記載の構造体。
【請求項２７】
接着剤配合物が、イオン伝導性ポリマー中に分散された無機粒子をさらに含有する請求項２６記載の構造体。
【請求項２８】
無機粒子が、黒鉛粉末、無定形炭素粉末、ケイ素酸化物、チタン酸化物、及びジルコニウム酸化物から成る群から選択される粒子である請求項２７記載の構造体。
【請求項２９】
接着剤配合物が２種又はそれよりも多種のイオン伝導性ポリマーを含有する請求項２５記載の構造体。
【請求項３０】
少なくとも１種のイオン伝導性接着剤配合物が第１又は第２のイオン伝導性ポリマーを含有する請求項２９記載の構造体。
【請求項３１】
イオン伝導性接着剤配合物が第１及び第２のイオン伝導性ポリマーを含有する請求項２７記載の構造体。
【請求項３２】
接着剤配合物が、２００℃未満のＴｍ又はＴｇを有する非イオン性ポリマーをさらに含有する請求項２５記載の構造体。
【請求項３３】
接着剤配合物が、少なくとも１種の第１又は第２のイオン伝導性ポリマー中に含まれる細孔を有する請求項２５記載の構造体。
【請求項３４】
接着性促進層が２００ｎｍ〜５０００ｎｍの厚さを有する請求項２５記載の構造体。
【請求項３５】
請求項１記載のＭＥＡを具備する燃料電池。